(57)【要約】【課題】指に対する嵌装と取り外しが、苦痛を感じることなく楽に行えるよう、リングサイズを指の号数より大きい号数のものとしながら、着装したときに、抜け出たり、回転したりすることなくしっくりと指に馴染むようになる構造の指輪を得ることにある。【解決手段】リング主体１を、周方向の一部が開放するリング状で、上面視において遊端となる一対の開放端部１ａ・１ｂが前後に喰い違って斜めに対向して全体が螺旋形をなす形状に形成し、斜めに対向する開放端部１ａと開放端部１ｂとの間に台座２を形設し、その台座２に宝石３を嵌装する。【選択図】図１０
2009034426.tif 000002
【特許請求の範囲】
【請求項１】
周方向の一部を開放させたリング（１０）により開放端部（１ａ）・（１ｂ）が一対に対向するよう形成したリング主体（１）を、周方向の一部が開放するリング状で、上面視において遊端となる一対の開放端部（１ａ）・（１ｂ）が前後に喰い違って斜めに対向して全体が螺旋形をなす形状に形成し、斜めに対向する開放端部（１ａ）と開放端部（１ｂ）との間に台座（２）を形設し、その台座（２）に宝石（３）を嵌装したことを特徴とする指輪。
【請求項２】
リング主体（１）の斜めに対向する開放端部（１ａ）と開放端部（１ｂ）との間に設ける台座（２）を、リング主体（１）の軸芯線（Ｘ）方向に沿う形状に形成し、その台座（２）に、宝石（３）を、前後方向の中心線（３ａ）がリング主体（１）の軸芯線（Ｘ）方向に対し略平行にする姿勢として嵌装したことを特徴とする請求項１記載の指輪。
【請求項３】
周方向の一部に開放部のあるリング（１０）とリング（１０’）とが間隔をおいてダブルに並列し、かつ、開放部位において、一方のリング（１０）から他方のリング（１０’）に折り返すようにつなぎ部材（１１）・（１１）により連結するダブルアームのリング主体（１）を形成し、そのリング主体（１）の、開放部位において一対に対向するつなぎ部材（１１）とつなぎ部材（１１）との間に、宝石を嵌装する台座（２）を設けるダブルアームの指輪において、ダブルアームのリング主体（１）を、上面視において、遊端となる一対のつなぎ部材（１１）・（１１）が、前後に喰い違って斜めに対向して全体が螺旋をなす形状にねじ曲げつなぎ部材（１１）とつなぎ部材（１１）との間に台座（２）を形設し、その台座（２）に宝石（３）を嵌装したことを特徴とする指輪。
【請求項４】
ダブルアームのリング主体（１）の、指輪を指に差し込むときの差込方向における前位のリング（１０）の内壁面（１０ａ）と後位のリング（１０’）の内壁面（１０ａ’）とを、リング主体（１）の軸芯線（Ｘ）に対し略平行する仮想線上に位置せしめていることを特徴とする請求項２記載の指輪。
【請求項５】
ダブルアームのリング主体（１）の、指に差し込むときの差込方向における前位のリング（１０）の内壁面（１０ａ）と後位のリング（１０’）の内壁面（１０ａ’）とを、差込方向（Ｚ）に略平行する仮想線（Ｙ）上に位置せしめていることを特徴とする請求項２記載の指輪。
【請求項６】
ダブルアームのリング主体（１）の、ダブルに並列するリング（１０）・（１０’）の一方のリング（１０）の内壁面で、指の一側面に当接する部位と、他方のリング（１０’）の内壁面で、指の他側面に当接する部位とに、内壁面から突出する盤状の突起部（４）をそれぞれ設けたことを特徴とする請求項２または請求項３または請求項４記載の指輪。
【発明の詳細な説明】
【技術分野】
【０００１】
本発明は、貴金属よりなるリングに台座を設け、その台座に宝石を装着して構成する指輪についての改良に関する。
【背景技術】
【０００２】
指輪は、通常、図１にあるように、プラチナ・金・銀などの貴金属の鋳造によりリング主体１を形成し、このリング主体１の周方向の一部で、指に嵌挿したときに上方に向かう部位に、宝石を嵌め込む台枠２０と嵌め込んだ宝石をかしめ付けるかしめ爪２１とを具備する台座２を形設し、この台座２に図２にあるように、宝石３を嵌装することで指輪Ａに作られるが、このとき、リング主体１の内径のサイズとなるリングサイズは、使用する人の指の外周のサイズに適応するよう調整したものとして製作される。
【０００３】
この指輪Ａのリングサイズの調整は、円錐体の周面に、１号から２０号までの刻線を設けた調整盤と規準リングとを用いて、使用する人の指の外周のサイズの号数を計り、次いで、指輪Ａのリング主体１の内径のサイズを、調整盤に嵌挿したときに、前述の計測した指のサイズの号数と一致する号数のものとなるように調整することで行われる。
【０００４】
このように、指輪Ａは、リングサイズの号数が、使用する人の指の号数と一致するものとして作られることで、その指輪Ａを指に着装した場合に、指に対し、しっくりと馴染み、手を振ったときに指から抜け出たり、また、指に対して指輪Ａがくるくる回って、台座２に嵌装した宝石が、指の側面に位置する状態になったりすることがなく、正しく着装した状態に保持されるようになるものである。
【０００５】
しかし、指輪Ａは、指に嵌めたときに、指輪Ａのリング主体１の軸芯線が嵌めた指の長手方向に対し傾斜するように斜めにかしいだ状態となることが多く、指輪の軸芯線が指の長手方向に揃う、整った状態に嵌めておくことがむずかしく、特に薬指に指輪を嵌めたときには、手の薬指と小指との間の切れ込みａが、図３にあるように、薬指と中指との間の切れ込みｂよりも深くなっているので、指輪Ａの軸芯線が小指の側に傾斜し、左側に斜めにかしいだ状態となることで、この指輪が、かしぐようになる問題は、はなはだしいものとなる。
【０００６】
しかも、そのとき、指輪の軸芯線が指の長手方向に対して傾斜したことで、指輪のリング主体１の内径が、指に対して左右の巾方向に狭められたことになって、リング主体１の内壁面の左右の側面部が、指の左右の側面を圧迫するようになって、しめ付け、指に適わないリングサイズの小さい指輪を嵌めている感じを受けるようになり、痛みを伴う場合には、リングサイズを、号数を大きくしたものに作りかえなければならない問題がある。
【０００７】
なお、上述の図３による説明は、通常、指輪は左の手の薬指に嵌めることから、これに従い左手の薬指用として作られる指輪として説明したものである。右の手の薬指に嵌める指輪は、右手の薬指用の指輪として、その指のサイズに適応するリングサイズのものとして作られるが、この右手の薬指用の指輪にあっても、前述した薬指と小指との間の切れ込み深さと薬指と中指との間の切れ込み深さの差による指輪の傾斜は、傾斜方向が右側になるだけで同様に生じてくる。
【０００８】
指に指輪を嵌めたときに、指輪が指にしっくりと馴染むようにするには、指輪のリング主体１の、指に対する差込方向における巾を広くすればよいが、そのようにすると、リング主体１を鋳造する貴金属の量が多くなるだけでなく、指輪を重いものとし、かつ、無細工な感じのものとする問題がでてくる。
【０００９】
このことから、出願人は、リング主体を、リングがダブルに並列するダブルアームの形態にする手段を実用新案登録第３０８９７３７号公報により提案している。
【００１０】
ところで、指輪を装着・使用する人には、リウマチや腎臓等の疾患があることで、指の関節に、むくみや関節痛をもっている方があり、そのような方は、指輪を号数が大きい、リングサイズを大きくしたものに作り、指に嵌めるとき、また、取り外すときの苦痛から逃れるようにして使用している。このとき、指輪は、リングサイズを大きくしたことで、手を振ったときに抜けでたり、くるくると回るようになるが、これは我慢する。これが我慢できない方は使用を止めるようにしている。
【００１１】
このように、指輪には、指の関節にむくみや関節痛の疾患のある方でも、指に嵌めるとき、また、取り外すときの操作が、苦痛を感じないで楽に行えるようにしながら、指に嵌装したときに、抜け出てきたり、回転したりすることのない構造の指輪の出現が要望されてきている。
【特許文献１】実用新案登録第３０８９７３７号
【発明の開示】
【発明が解決しようとする課題】
【００１２】
本発明において解決しようとする課題は、指に対する嵌装と取り外しが、苦痛を感じることなく楽に行えるよう、リングサイズを指の号数より大きい号数のものとしながら、着装したときに、抜け出たり、回転したりすることなくしっくりと指に馴染むようになる構造の指輪を得ることにある。
【課題を解決するための手段】
【００１３】
本発明は、上述の課題を解決するために、種々の試行錯誤を繰り返して得られた知見に基づいて完成した発明である。
【００１４】
即ち、指輪のリング主体を、周方向の一部が開放して、遊端となる開放端部が一対に対向する形状に形成して、このリング主体を、上面視において、一対に対向する開放端部を前後方向において、それぞれ逆方向に押し出すように捻り、一対の開放端部が斜めに喰い違って対向し、リング主体の全体が螺旋状をなす形状とし、斜めに喰い違って対向する一対の開放端部の間に台座を形設して、これに宝石を嵌装し、指輪を構成するようにすれば、リングサイズを使用する人の指の号番よりも１〜１・１／２番大きくしても、指にしっくりと馴染むようになる、という知見が結果から得られたことによるものである。
【００１５】
そして、このように指輪を構成したとき、斜めに喰い違って対向する一対の開放端部の間に形設する台座を、それに嵌装する宝石が、それの前後方向の中心線をリング主体の軸芯線と略平行させた姿勢として組み付けられる形状に形設して、これに宝石を前後方向の中心線がリング主体の軸芯と略平行する状態として組み付ければ、指輪を指に嵌めたときに、リング主体は斜めに傾斜した状態となるが、宝石はそれの前後方向の中心線が指の長手方向に沿う整った姿勢となって、指輪が、かしいで嵌められている感じがなくなる、という知見が結果から得られたことによるものである。
【００１６】
さらに、このことは、リング主体をダブルアームに構成した指輪においても、同様の結果となる知見を得ている。
【００１７】
そして、このことから、本発明においては、上述の課題を解決するための手段として、
周方向の一部を開放させたリング１０により開放端部１ａ・１ｂが一対に対向するよう形成したリング主体１を、周方向の一部が開放するリング状で、上面視において遊端となる一対の開放端部１ａ・１ｂが前後に喰い違って斜めに対向して全体が螺旋形をなす形状に形成し、斜めに対向する開放端部１ａと開放端部１ｂとの間に台座２を形設し、その台座２に宝石３を嵌装したことを特徴とする指輪。
を提起し、また、これに併せて、
リング主体１の斜めに対向する開放端部１ａと開放端部１ｂとの間に設ける台座２を、リング主体１の軸芯線Ｘ方向に沿う形状に形成し、その台座２に、宝石３を、前後方向の中心線３ａがリング主体１の軸芯線Ｘ方向に対し略平行にする姿勢として嵌装したことを特徴とする請求項１記載の指輪。
を提起し、さらに、
周方向の一部に開放部のあるリング１０とリング１０’とが間隔をおいてダブルに並列し、かつ、開放部位において、一方のリング１０から他方のリング１０’に折り返すようにつなぎ部材１１・１１により連結するダブルアームのリング主体１を形成し、そのリング主体１の、開放部位において一対に対向するつなぎ部材１１とつなぎ部材１１との間に、宝石を嵌装する台座２を設けるダブルアームの指輪において、ダブルアームのリング主体１を、上面視において、遊端となる一対のつなぎ部材１１・１１が、前後に喰い違って斜めに対向して全体が螺旋をなす形状にねじ曲げつなぎ部材１１とつなぎ部材１１との間に台座２を形設し、その台座２に宝石３を嵌装したことを特徴とする指輪。
及び、
ダブルアームのリング主体１の、指輪を指に差し込むときの差込方向における前位のリング１０の内壁面１０ａと後位のリング１０’の内壁面１０ａ’とを、リング主体１の軸芯線Ｘに対し略平行する仮想線上に位置せしめていることを特徴とする請求項２記載の指輪。
及び、
ダブルアームのリング主体１の、指に差し込むときの差込方向における前位のリング１０の内壁面１０ａと後位のリング１０’の内壁面１０ａ’とを、差込方向Ｚに略平行する仮想線Ｙ上に位置せしめていることを特徴とする請求項２記載の指輪。
及び、
ダブルアームのリング主体１の、ダブルに並列するリング１０・１０’の一方のリング１０の内壁面で、指の一側面に当接する部位と、他方のリング１０’の内壁面で、指の他側面に当接する部位とに、内壁面から突出する盤状の突起部４をそれぞれ設けたことを特徴とする請求項２または請求項３または請求項４記載の指輪。
を提起するものである。
【発明の効果】
【００１８】
本発明による指輪は、リングサイズを、嵌装して使用する人の指の号数より、１番乃至１・１／２番大きく作っても、指に嵌めたときに、抜けでるようになったり、くるくる回ったりすることなく、しっくりと馴染むようになるので、指に対する嵌挿及び取り外しが、指の関節に痛みや、むくみをもっている方でも楽に行え、しかも、嵌めたときに整った姿勢に保持させるようになる。
【発明を実施するための最良の形態】
【００１９】
次に実施の態様を、実施例につき図面に従い詳述する。
【実施例１】
【００２０】
図４、図５は第１の実施例を示し、図４は本発明による指輪の宝石を嵌挿する前の状態における上面図、図５は宝石を台座に組み付けた状態の上面図で、１はリング主体、２はそのリング主体１に装設した台座、３はその台座２に嵌装した宝石を示す。
【００２１】
この実施例は、リング主体１を１条のリングにより構成している形態の指輪Ａに実施している例であり、そのリング主体１は、貴金属の圧延・鋳造または鋳造により図６にあるように、周方向の一部に開放部のあるリング１０を作り、そのリング１０の一対に対向する開放端部１ａと開放端部１ｂとを、前後方向（図６において上下方向）に沿いそれぞれ逆方向に押し出すように、リング１０をねじ曲げるなどの成形加工を行うことで、前述の図４にあるように、一対の開放端部１ａ・１ｂが前後に喰い違って位置して斜めに対向し、かつ、全体が螺旋状をなす形態のものに構成してある。
【００２２】
このリング主体１の一対の開放端部１ａ・１ｂの間に設ける台座２は、一対の開放端部１ａ・１ｂが斜めに対向することから、図７にあるように、対角線状に斜めに渡架するように設けてよいものであるが、この例においては、台座２に嵌装する宝石３がそれの前後方向の中心線３ａをリング主体１の軸芯線Ｘと略平行する状態として装着されるように、台座２の左右の枠縁が前記リング主体１の軸芯線Ｘに対し略平行する形態として装設してあり、これにより、台座２に装着した宝石３がそれの前後方向をリング主体１の軸芯線Ｘに揃えた姿勢に保持されるようにしてある。
【実施例２】
【００２３】
図８乃至図１４は、別の実施例を示している。この例は、リング主体１を、周方向の一部に開放部のあるリング１０がダブルに並列し、それらリング１０・１０’が開放部位において、一方のリング１０から他方のリング１０’に折り返すようにつなぎ部材１１・１１で連結しているダブルアームの形態に構成している指輪に実施した例である。
【００２４】
リング主体１は、貴金属により鋳造するダブルに並列する周方向の一部に開放部のあるリング１０・１０’と、それらリング１０・１０’の開放部においてそれぞれ一対に対向する開放端部１ａ・１ｂを、リング主体１の指に対する差込方向において、前位に位置するリング１０の一対の開放端部１ａ・１ｂと後位に位置するリング１０’の一対の開放端部１ａ・１ｂとの、隣接する同志間に渡架するよう形設するつなぎ部材１１・１１とにより構成してある。
【００２５】
リング主体１を構成するダブルに並列するリング１０とリング１０’とをつなぐつなぎ部材１１・１１は、この例においては、リング主体１を指に差し込むときの差込方向における前位のリング１０の開放端部１ａ・１ｂから後位のリング１０’の開放端部１ａ・１ｂに向けＵ字状に折り返すようＵ字型に形成してあり、かつ、前位のリング１０と後位のリング１０’とを、貴金属による圧延・鋳造または鋳造により成形するときに、ダブルに並列するリング１０・１０’と一体に連続した状態のものに形設してある。そして、これにより、リング主体１を周方向における開放部位に、一対に対向するループ状の開放端部１ａ・１ｂを具備する形状のものに形成している。
【００２６】
このリング主体１は、一対に対向するループ状の開放端部１ａ・１ｂが、上面視において、図９にあるように、前後方向（図９において上下方向）に喰い違って位置して斜めに対向し、かつ、全体が螺旋状をなす形状に形成してある。
【００２７】
リング主体１をこのように捻れた形状のものとする加工は、リング主体１を図１２にある形状のものに成形し、これに、図１２において、一対に対向するループ状の開放端部１ａと開放端部１ｂとを、前後方向に沿いそれぞれ逆方向に押し出すよう捻る力を加えることで行ってよいが、圧延・鋳造または鋳造により成形する際に、図１０にある形状のものに加工するようにしてもよい。
【００２８】
また、このように、リング主体１を捻れた形状のものとするときの、ダブルに並列するリング１０・１０’は、指に嵌挿するときの差込方向の前位のリング１０と後位のリング１０’とが、図１３に示しているように、リング主体１を指に嵌挿していくときの差込方向Ｚから見た正面視において、前位のリング１０に対し後位のリング１０’が左右方向に偏位するようにし、これにより、前位のリング１０の内壁面１０ａと後位のリング１０’の内壁面１０ａ’とが、図１３にあるように、リング主体１の軸芯線Ｘに対し略平行する仮想線Ｙ上に位置してダブルの並列する形態とする場合と、図１４に示しているように、正面視において前位のリング１０と後位のリング１０’とがラップして位置し、これにより前位のリング１０の内壁面１０ａと後位のリング１０’とが同図１４にあるように、リング主体１を指に差し込むときの差込方向Ｚと略平行する仮想線Ｙ’上に位置する状態としてダブルに並列する状態とする場合がある。
【００２９】
リング主体１の開放端部１ａ・１ｂの間に形設する台座２は、この例においては、斜めに対向する一対のループ状の開放端部１ａと開放端部１ｂとの間に、嵌装する宝石３の姿勢を、指の長手方向に正しく揃えた状態とするように、宝石３を保持する枠縁が指の長手方向に沿う形状として形設してある。
【００３０】
そして、この台座２に嵌装する宝石３は、それの前後方向の中心線３ａが、リング主体１を指に嵌挿するときの差込方向Ｚである指の長手方向に沿う姿勢として、台座２に設けたかしめ爪２１により固定装着してある。
【実施例３】
【００３１】
図１５乃至図１７は、さらに別の実施例を示している。この例は、リング主体１をダブルに並列するリング１０・１０’によりダブルアームに形成した指輪の、並列するリング１０・１０’の内壁面に、長方形状の突起部４を付設し、これにより、リングサイズを大きくしながら指にしっくりと馴染むようにしている例である。
【００３２】
突起部４は、リング１０・１０’を鋳造するときに、一体に連続させて形設してよいが、この例においては、リング１０・１０’を鋳造する貴金属とは別の金属で長方形状に形成し、これをリング１０・１０’の内壁面に形設しておく溝穴５に嵌め込むことで装設してある。
【００３３】
そして、この突起部４は、ダブルに並列するリング１０・１０’の、指に嵌挿したときに、指の側面に当接する部位に設けている。このとき、突起部４は、図１５、図１６にあるように、前位のリング１０の左側の内壁面１０ａと後位のリング１０’の右側の内壁面１０ａ’とに、対角線をなす状態として設けている。
【図面の簡単な説明】
【００３４】
【図１】従前の指輪の、台座に宝石を嵌装する前の状態の斜視図である。
【図２】同上の指輪の台座に宝石を嵌装した状態の斜視図である。
【図３】同上の指輪を薬指に嵌挿した状態の左手の平面図である。
【図４】本発明手段を実施せる指輪の、台座に宝石を嵌装する前の状態の平面図である。
【図５】同上の指輪の宝石を台座に嵌挿した状態の上面図である。
【図６】同上の指輪のリング主体の上面図である。
【図７】同上の指輪のリング主体をねじ曲げ加工し、対向する開放端部の間に台座を形状した状態のリング主体の上面図である。
【図８】同上の指輪で、リング主体をダブルアームの形態に構成した例の斜視図である。
【図９】同上の指輪のダブルアームの形態としたリング主体の上面図である。
【図１０】同上のリング主体の台座を形設した状態の上面図である。
【図１１】同上のリング主体の斜視図である。
【図１２】同上のリング主体の、台座を形設する前の状態の上面図である。
【図１３】同上のリング主体の横断平面図である。
【図１４】同上のリング主体の、別の構成例の横断平面図である。
【図１５】同上のリング主体のさらに別の構成例の斜視図である。
【図１６】同上リング主体の横断平面図である。
【図１７】同上リング主体の部分の拡大斜視図である。
【符号の説明】
【００３５】
Ａ  指輪
Ｘ  軸芯線
Ｙ  仮想線
Ｙ’仮想線
Ｚ  差込方法
ａ  薬指と小指との間の切れ込み
ｂ  薬指と中指との間の切れ込み
１  主体
１ａ・１ｂ  開放端部
１０  前位のリング
１０’後位のリング
１０ａ  前位のリングの内壁面
１０ａ’後位のリングの内壁面
１１  つなぎ部材
２  台座
２０  台枠
２１  かしめ爪
３  宝石
３ａ  中心線
４  突起部
５  溝穴
【図１】
2009034426.tif 000003
【図２】
2009034426.tif 000004
【図３】
2009034426.tif 000005
【図４】
2009034426.tif 000006
【図５】
2009034426.tif 000007
【図６】
2009034426.tif 000008
【図７】
2009034426.tif 000009
【図８】
2009034426.tif 000010
【図９】
2009034426.tif 000011
【図１０】
2009034426.tif 000012
【図１１】
2009034426.tif 000013
【図１２】
2009034426.tif 000014
【図１３】
2009034426.tif 000015
【図１４】
2009034426.tif 000016
【図１５】
2009034426.tif 000017
【図１６】
2009034426.tif 000018
【図１７】
2009034426.tif 000019